(57)【特許請求の範囲】
【請求項１】
排気管と、
前記排気管の途中に設けられ、排ガスを浄化するための複数の触媒を有する後処理ユニットと、
前記後処理ユニットを収容するケーシングと、を備え、
前記後処理ユニットは、
選択還元型ＮＯｘ触媒と、
前記選択還元型ＮＯｘ触媒の上流側から選択還元型ＮＯｘ触媒に向かって延び、排ガスが通過される管部材と、
前記管部材内における前記選択還元型ＮＯｘ触媒の上流側の位置に尿素水を添加する添加弁と、を備え、
前記管部材は、折り返すことで排ガスの流れの向きが変わる折り返し部分を有し、
前記添加弁は、前記折り返し部分に向かって尿素水を噴射し、
前記折り返し部分は、着脱可能とされ、
前記ケーシングは、前記折り返し部分に対向する位置に形成され、前記折り返し部分が通過可能な開口部と、前記開口部を開閉可能に覆う蓋と、を有する
ことを特徴とする内燃機関の排ガス浄化装置。
【請求項２】
排気管と、
前記排気管の途中に設けられ、排ガスを浄化するための複数の触媒を有する後処理ユニットと、
前記後処理ユニットを収容するケーシングと、を備え、
前記後処理ユニットは、
少なくとも一つの触媒を内設する管状の第１触媒ケーシングと、
前記第１触媒ケーシングに並列して配置され、選択還元型ＮＯｘ触媒を内設する管状の第２触媒ケーシングと、
前記第１触媒ケーシングと前記第２触媒ケーシングとの間の位置に配置され、前記第１触媒ケーシングの下流端と前記第２触媒ケーシングの上流端とを連結する連結管と、
前記連結管内に尿素水を添加する添加弁と、を備え、
前記連結管は、折り返すことで排ガスの流れの向きが変わる折り返し部分を有し、
前記添加弁は、前記折り返し部分に向かって尿素水を噴射し、
前記折り返し部分は、着脱可能とされ、
前記ケーシングは、前記折り返し部分に対向する位置に形成され、前記折り返し部分が通過可能な開口部と、前記開口部を開閉可能に覆う蓋と、を有する
ことを特徴とする内燃機関の排ガス浄化装置。
【発明の詳細な説明】
【技術分野】
【０００１】
本発明は、後処理ユニットを備えた内燃機関の排ガス浄化装置に関する。
【背景技術】
【０００２】
一般的に、内燃機関を搭載した車両においては、排気管の途中に設けられ、排ガス中の有害物質を浄化するための複数の触媒を有する後処理ユニットを備えた排ガス浄化装置が知られている。
【先行技術文献】
【特許文献】
【０００３】
【特許文献１】特開２００３−１８４５４４号公報
【特許文献２】特開２００８−２０８７２７号公報
【発明の概要】
【発明が解決しようとする課題】
【０００４】
上記の排ガス浄化装置においては、触媒の温度を高温に保持するために、後処理ユニットをケーシングに収容することが考えられる。
【０００５】
一方、後処理ユニットが選択還元型ＮＯｘ触媒（ＳＣＲ：Selective Catalytic Reduction）を有する場合、ＮＯｘ触媒の上流側に還元剤としての尿素水が添加される。添加された尿素水は、排ガスと混合して蒸発しつつ、ＮＯｘ触媒に向かって延びる管部材の内部を流れ、ＮＯｘ触媒に供給される。しかし、尿素水が液相状態で管部材の内部に付着して滞留すると、その滞留する部位を腐食させる虞がある。
【０００６】
そこで、本発明は、かかる事情に鑑みて創案され、その目的は、ケーシングに収容され、選択還元型ＮＯｘ触媒を備えた後処理ユニットにて、尿素水が滞留する部位を容易に交換することが可能な内燃機関の排ガス浄化装置を提供することにある。
【課題を解決するための手段】
【０００７】
本発明に係る内燃機関の排ガス浄化装置は、排気管と、前記排気管の途中に設けられ、排ガスを浄化するための複数の触媒を有する後処理ユニットと、前記後処理ユニットを収容するケーシングと、を備え、前記後処理ユニットは、選択還元型ＮＯｘ触媒と、前記選択還元型ＮＯｘ触媒の上流側から選択還元型ＮＯｘ触媒に向かって延び、排ガスが通過される管部材と、前記管部材内における前記選択還元型ＮＯｘ触媒の上流側の位置に尿素水を添加する添加弁と、を備え、前記管部材が、前記添加弁と前記選択還元型ＮＯｘ触媒の間の位置に、前記添加弁から添加された尿素水が滞留する部位を有し、前記部位が着脱可能とされ、前記ケーシングに前記部位が通過可能な開口部が設けられ、前記ケーシングに前記開口部を開閉可能に覆う蓋が設けられることを特徴とする。
【０００８】
また、本発明に係る内燃機関の排ガス浄化装置は、排気管と、前記排気管の途中に設けられ、排ガスを浄化するための複数の触媒を有する後処理ユニットと、前記後処理ユニットを収容するケーシングと、を備え、前記後処理ユニットは、少なくとも一つの触媒を内設する管状の第１触媒ケーシングと、前記第１触媒ケーシングに並列して配置され、選択還元型ＮＯｘ触媒を内設する管状の第２触媒ケーシングと、前記第１触媒ケーシングと前記第２触媒ケーシングとの間の位置に配置され、前記第１触媒ケーシングの下流端と前記第２触媒ケーシングの上流端とを連結する連結管であって、排気流れ方向に沿って後方から前方に向かって延び、Ｕ字状に折り返されて後方に延びる折り返し部分を有する連結管と、前記折り返し部分の上流側から前記折り返し部分に向かって、後方から前方に尿素水を添加するように配置された尿素水添加弁と、を備え、前記折り返し部分は、着脱可能な前面部を有し、前記ケーシングの前面には、前記折り返し部分の前面部に対向する位置に前記前面部が通過可能な開口部が形成されると共に、その開口部を開閉可能に覆う蓋が設けられることを特徴とする。
【発明の効果】
【０００９】
本発明に係る内燃機関の排ガス浄化装置では、ケーシングに収容され、選択還元型ＮＯｘ触媒を備えた後処理ユニットにて、尿素水が滞留する部位を容易に交換することができるという優れた効果を発揮する。
【図面の簡単な説明】
【００１０】
【図１】本発明の一実施形態に係る排ガス浄化装置を示す概略構成図である。
【発明を実施するための形態】
【００１１】
以下、添付図面に基づいて、本発明の一実施形態を説明する。図１は、本発明の一実施形態に係る内燃機関の排ガス浄化装置を示す概略構成図である。
【００１２】
図１に示すように、排ガス浄化装置１００は、内燃機関１の排ガスを通過させる排気管２と、排気管２の途中に設けられ、排ガスを浄化するための複数の触媒１０を有する後処理ユニット３と、後処理ユニット３を収容するケーシング４と、を含む。
【００１３】
内燃機関１は、図示しない車両に搭載された多気筒の圧縮着火式内燃機関、すなわちディーゼルエンジンである。内燃機関１には、各気筒１１から排出される排ガスを集合させる排気マニホールド１２が設けられる。
【００１４】
排気管２は、排気マニホールド１２に接続され、排気マニホールド１２からの排ガスを下流方向（矢印Ｇで示す方向）に流して大気に放出する管である。
【００１５】
より詳しくは、この排気管２は、後処理ユニット３の上流側に位置する上流側排気管２１と、後処理ユニット３の下流側に位置する下流側排気管２２とからなる。上流側排気管２１は、その下流側端部にフランジ２１ａを有し、下流側排気管２２は、その上流側端部にフランジ２２ａを有する。
【００１６】
次に、後処理ユニット３について説明する。後処理ユニット３の前後左右方向を図１に示す。なお、図示する後処理ユニット３の前後左右方向は、車両の前後左右方向とは無関係であり、説明の便宜上定められたものに過ぎない。本実施形態では、内燃機関１が車両に縦置きされており、後処理ユニット３の左方向が車両の前方向に一致する。
【００１７】
後処理ユニット３は、排ガス入口管３１と、排ガス出口管３２と、少なくとも一つの触媒１０を内設する第１触媒ケーシング３３と、ＮＯｘ触媒１０ｃを内設する第２触媒ケーシング３４と、第１触媒ケーシング３３と第２触媒ケーシング３４とを連結する連結管３５と、尿素水を添加する添加弁３６を備える。また、後処理ユニット３は、概ね左右対称の構造を有する。
【００１８】
排ガス入口管３１は、後処理ユニット３の前端部且つ左側に配置され、前方から後方に延び、その前端は、上流側排気管２１の下流端に接続される。また、排ガス出口管３２は、後処理ユニット３の前端部且つ右側に配置され、前方から後方に延び、その前端は、下流側排気管２２の上流端に接続される。
【００１９】
より詳しくは、排ガス入口管３１の上流側端部には、フランジ３１ａが設けられ、このフランジ３１ａに上流側排気管２１のフランジ２１ａが接続される。また同様に、排ガス出口管３２の下流側端部には、フランジ３２ａが設けられ、このフランジ３２ａに下流側排気管２２のフランジ２２ａが接続される。互いに接続されるフランジ同士は、ボルト（不図示）等の締結手段で取り外し可能に固定される。
【００２０】
第１触媒ケーシング３３は、管状に形成され、排ガス入口管３１から後方に向けて延在すると共に、後端部に位置する下流側端部３３ａの右側面に第１側孔３３ｂを有する。また、第１触媒ケーシング３３には、上流側に位置する排ガス入口管３１および下流側に位置する連結管３５よりも拡径された第１拡径部３３ｃが形成される。
【００２１】
第１触媒ケーシング３３は、第１拡径部３３ｃの位置にて、第１断熱緩衝部材（マット）３７を介して、上流側から酸化触媒（ＤＯＣ：Diesel Oxidation Catalyst）１０ａおよびパティキュレートフィルタ（以下「ＤＰＦ」という）１０ｂを内設する。
【００２２】
酸化触媒１０ａは、排ガス中の未燃成分（炭化水素ＨＣおよび一酸化炭素ＣＯ）を酸化して浄化する。酸化触媒１０ａは、ＨＣ，ＣＯの酸化時に生じた熱で排ガスを加熱、昇温する機能を有する。また酸化触媒１０ａは、排ガス中のＮＯをＮＯ2に酸化し、排ガス中のＮＯ2濃度を高める機能をも有する。
【００２３】
ＤＰＦ１０ｂは、排ガス中に含まれる粒子状物質（ＰＭ：Particulate Matter）を捕集して除去するものである。ＤＰＦ１０ｂは、本実施形態では、ハニカム形状の耐熱性基材の両端開口を互い違いに市松状に閉塞した所謂ウォールフロータイプのものが用いられている。しかしながら、網の目構造のフォーム形状のもの等、ＰＭを物理的に捕集するあらゆるタイプのフィルタを用いることができる。
【００２４】
ＤＰＦ１０ｂは、その内壁にＰｔ等の貴金属（触媒）を担持させた所謂連続再生式の触媒付きＤＰＦからなる。この場合、エンジンの通常運転中、ＤＰＦ１０ｂに供給された排ガス中のＨＣが触媒作用で酸化、燃焼し、このとき同時にＤＰＦ１０ｂ内部に堆積しているＰＭが燃焼除去される。なお、ＤＰＦ１０ｂが触媒を有するため、ここではＤＰＦ１０ｂも本発明にいう触媒１０に含ませるものとする。
【００２５】
第２触媒ケーシング３４は、管状に形成され、排ガス出口管３２から後方に向けて延在すると共に、後端部に位置する上流側端部３４ａの左側面に第２側孔３４ｂを有する。また、第２触媒ケーシング３４には、上流側に位置する排ガス入口管３１および下流側に位置する排ガス出口管３２よりも拡径された第２拡径部３４ｃが形成される。
【００２６】
第２触媒ケーシング３４は、第２拡径部３４ｃの位置にて、第２断熱緩衝部材（マット）３８を介して、上流側からＮＯｘ触媒１０ｃおよびアンモニア酸化触媒１０ｄを内設する。
【００２７】
ＮＯｘ触媒１０ｃは、排ガス中の窒素酸化物ＮＯｘを浄化するための触媒である。ＮＯｘ触媒１０ｃは、選択還元型ＮＯｘ触媒（ＳＣＲ：Selective Catalytic Reduction）からなり、尿素水から加水分解されて生成されたアンモニア（ＮＨ3）によって、ＮＯｘを連続的に還元し得る。
【００２８】
アンモニア酸化触媒１０ｄは、ＮＯｘ触媒１０ｃでＮＯｘの還元に消費されなかった余剰のアンモニア（ＮＨ3）を酸化して、Ｎ2を生成する触媒である。
【００２９】
本実施形態においては、第１触媒ケーシング３３と第２触媒ケーシング３４とは、互いに並列して左右に配置される。また、第１側孔３３ｂと第２側孔３４ｄとは、互いに対向する位置に配置される。
【００３０】
連結管３５は、左右方向における第１触媒ケーシング３３と第２触媒ケーシング３４との間の位置に配置され、第１触媒ケーシング３３の下流端Ｘ１と第２触媒ケーシング３４の上流端Ｙ１とを連結する。また、連結管３５は、排気流れ方向に沿って後方から前方に向かって延び、Ｕ字状に折り返されて後方に延びる折り返し部分Ｕを有する。
【００３１】
より詳しくは、連結管３５は、第１側孔３３ｂから第２側孔３４ｂ側（図示右側）に向かって延び、前方に折れ曲がる第１部分３５ａと、第２側孔３４ｂから第１側孔３３ｂ側（図示左側）に向かって延び、前方に折れ曲がる第２部分３５ｂとを有する。具体的には、第１部分３５ａは、図中の第１側孔３３ｂからＸ２までの部分に該当し、第２部分３５ｂは、図中の第２側孔３４ｂからＹ２までの部分に該当する。
【００３２】
また、連結管３５は、第１部分３５ａの下流端Ｘ２から前方に延びると共に、折り返し部分Ｕで折り返されて後方に延び、第２部分３５ｂの上流端Ｙ２に接続される第３部分３５ｃを有する。すなわち、連結管３５がこのようにＵ字状に折り返されて形成されることで、第１側孔３３ｂと第２側孔３４ｄを直線的に結ぶよりも、連結管３５の管長が長くなる。
【００３３】
ケーシング４は、ステンレス等の耐熱材料を用いた箱型ケーシングからなり、後処理ユニット３全体を略気密に覆う。ケーシング４の内周面上ほぼ全体には、後処理ユニット３の保温のため、グラスウール等の断熱材４１が敷設される。
【００３４】
ケーシング４の前面４２には、左右の位置に、後処理ユニット３の排ガス入口管３１が挿通される入口孔４２ａと、排ガス出口管３２が挿通される出口孔４２ｂとが形成される。
【００３５】
他方、ケーシング４の後面４３には、第１部分３５ａの折れ曲がり部分Ｌの後方に位置する部分に、添加弁３６を取り付ける取付部４３ａが形成される。取付部４３ａは、前方に凹んで形成され、その前端には、前後方向に延びる外側挿通孔４３ｂが形成される。また、折れ曲がり部分Ｌの後端面には、外側挿通孔４３ｂと同軸に内側挿通孔３５ｄが形成されている。添加弁３６は、ケーシング４の外部（後方）から外側挿通孔４３ｂと内側挿通孔３５ｄの両方に挿通され、取付部４３ａに設けられたボス部４３ｃによって、ケーシング４に固定される。
【００３６】
添加弁３６は、折り返し部分Ｕの上流側から折り返し部分Ｕに向かって、後方から前方に尿素水を添加するように配置される。ここでいう折り返し部分Ｕの上流側とは、第１部分３５ａの折れ曲がり部分Ｌ内を意味する。
【００３７】
詳しくは後述するが、折り返し部分Ｕの前面部Ｕｆの内表面には、添加された尿素水が液相状態で滞留する傾向にある。尿素水が滞留する部位は、その尿素水に起因して腐食する虞があるため、本実施形態においては、この前面部Ｕｆを着脱可能にして交換できるようにする。
【００３８】
具体的には、前面部Ｕｆは、上下且つ左右方向に延びる分割面Ｓに沿って連結管３５から分割される。便宜上、前面部Ｕｆを除く連結管３５の部分を連結管本体Ｂという。前面部Ｕｆは、前方から見て楕円ないし長円形状を成す。この分割面Ｓの位置は任意であるが、前面部Ｕｆは、尿素水が液相状態で滞留する部位、ひいてはその尿素水に起因して腐食する虞がある部位を含むように設定される。本実施形態においては、上流側から下流側に向かうにつれ折り返し部分Ｕが約９０°曲がり、且つ、折り返し部分Ｕの管路中心Ｃ上の位置に、分割面Ｓが設定される。
【００３９】
前面部Ｕｆの後端部と、残りの連結管本体Ｂの前端部には、それぞれフランジ３９ａ，フランジ３９ｂが設けられ、互いのフランジ３９ａ，３９ｂがボルト３９ｃ等の締結手段で取り外し可能に固定される。フランジ３９ａ，３９ｂが固定された状態では、前面部Ｕｆと連結管本体Ｂが気密に接続される。
【００４０】
反対に、フランジ３９ａ，３９ｂによる固定が解除されると、前面部Ｕｆは、連結管本体Ｂから取り外し可能となる。
【００４１】
ケーシング４の前面４２の中央部には、折り返し部分Ｕの前面部Ｕｆに対向する位置に、前端部Ｕｆが通過可能な開口部４４が設けられる。
【００４２】
開口部４４の面積は任意であるが、前面部Ｕｆの交換作業が容易に行える大きさにすることが好ましい。また、開口部４４の形状は任意であり、例えば円形や正方形とすることが考えられるが、前面部Ｕｆの形状に合わせて、左右方向に長い長方形としても良い。
【００４３】
ケーシング４の前面４２には、この開口部４４を前方から開閉可能に覆う蓋５が設けられる。この蓋５は、開口部４４の周囲において、複数のボルト４５等の締結手段によって、ケーシング４の前面４２に取り外し可能に固定される。なお、後処理ユニット３の保温のため、蓋５の内表面にも、グラスウール等の断熱材４１が敷設される。
【００４４】
なお、本発明における後処理ユニット３の管部材には、ＮＯｘ触媒１０ｃの上流側に位置する全ての管状部材が含まれる。すなわち、ＮＯｘ触媒１０ｃの上流側に位置する第２触媒ケーシング３４と、連結管３５と、第１触媒ケーシング３３と、排ガス入口管３１とが、本発明の管部材に含まれる。本実施形態における管部材は、このうちの連結管３５である。
【００４５】
次に、図１に基づいて、本実施形態に係る排ガス浄化装置１００の作用効果を説明する。
【００４６】
内燃機関１の排ガスは、排気マニホールド１２から上流側排気管２１を通過し、排ガス入口管３１を通じて、第１触媒ケーシング３３内へ流入する。
【００４７】
第１触媒ケーシング３３内へ流入した排ガスは、酸化触媒１０ａを通過し、これにより、排ガス中の未燃成分（炭化水素ＨＣおよび一酸化炭素ＣＯ）が酸化して浄化される。
【００４８】
次に、酸化触媒１０ａを通過した排ガスは、ＤＰＦ１０ｂに流入し、ＤＰＦ１０ｂによって排ガス中に含まれる粒子状物質（ＰＭ）が捕集除去される。
【００４９】
ＤＰＦ１０ｂを通過した排ガスは、第１触媒ケーシング３３の後端部に位置する第１側孔３３ｂから連結管３５の第１部分３５ａに流れ、第１部分３５ａの折れ曲がり形状に沿って前方へ９０°方向転換して、第３部分３５ｃへ流れる。
【００５０】
第３部分３５ｃへ流れた排ガスは、折り返し部分Ｕにて後方へ１８０°方向転換し、後方の第２部分３５ｂへ流れ、第２部分の折れ曲がり形状に沿って９０°方向転換し、第２側孔３４ｂを通じて第２触媒ケーシング３４内へ流入する。
【００５１】
ここで、第１部分３５ａの折れ曲がり部分Ｌに配置された添加弁３６は、第３部分３５ｃの折り返し部分Ｕに向かって、後方から前方に尿素水を添加する。尿素水が混合された排ガスは、折り返し部分Ｕにて後方へ１８０°方向転換し、後方の第２部分３５ｂへ流れ、第２部分３５ｂの折れ曲がり形状に沿って９０°方向転換し、第２側孔３４ｂを通じて第２触媒ケーシング３４内へ流入する。この過程で、添加弁３６から添加された尿素水は、排ガスと混合して蒸発しつつ、加水分解されてアンモニアを生成する。
【００５２】
次に、第２触媒ケーシング３４内において、尿素水とアンモニアの少なくとも一方を含む排ガスは、ＮＯｘ触媒１０ｃを通過する。このとき、ＮＯｘ触媒１０ｃは、尿素水が加水分解されて生成されたアンモニアによって、ＮＯｘを還元する。
【００５３】
ＮＯｘ触媒１０ｃでＮＯｘの還元に消費されなかった余剰のアンモニアは、アンモニア酸化触媒１０ｄと接触して酸化され、大気への放出が抑制される。
【００５４】
アンモニア酸化触媒１０ｄを通過した排ガスは、排ガス出口管３２を通じて下流側排気管２２へ排出されて、下流側排気管２２から大気に放出される。
【００５５】
上記の作用のうち、酸化触媒１０ａ、ＤＰＦ１０ｂ、ＮＯｘ触媒１０ｃ、およびアンモニア酸化触媒１０ｄに関しては、その触媒温度（触媒床温）が活性温度域にあるときに、排ガス浄化作用を有効に発揮する。よって、各触媒１０の温度をできるだけ高温に保持するのが有効である。
【００５６】
本実施形態においては、内周面に断熱材４１を敷設したケーシング４内に、後処理ユニット３を収容することで、後処理ユニット３が外気や走行風で冷却されるのを抑制し、各触媒１０の温度を高温に保持することができる。
【００５７】
本実施形態の後処理ユニット３においては、連結管３５がＵ字状に折り返されて形成されている。このため、連結管３５を直線的に形成するよりも、連結管３５の管長を長くし、且つ、後処理ユニット３をコンパクトに構成することができる。
【００５８】
また、添加弁３６から添加された尿素水が、この長く且つ折り返されて形成された連結管３５を通過することで、尿素水が排ガスとの間で十分に攪拌混合されて蒸発され、尿素水の加水分解が促進される。この結果、アンモニアが効率よく生成されて、ＮＯｘ触媒１０ｃにおけるＮＯｘ浄化率の向上に有利となる。
【００５９】
一方、尿素水を含む排ガスが折り返し部分Ｕを通過するとき、尿素水が前面部Ｕｆの内表面に液相状態で付着して滞留する傾向にある。特に、この折り返し部分Ｕでは、尿素水が１８０°方向転換する際に遠心力を受け、内表面に尿素水が付着、滞留する傾向にある。この結果、前面部Ｕｆは、滞留した尿素水に起因して、内表面から腐食していく虞がある。
【００６０】
なお、近年のＮＯｘ規制強化に対応するためには、ＮＯｘ触媒の大型化と尿素水添加量の増加が必要となるので、滞留部位がより著しく腐食する可能性がある。
【００６１】
そこで、本実施形態に係る排ガス浄化装置１００においては、尿素水の滞留に起因して腐食する虞がある前面部Ｕｆを、連結管３５から着脱可能とする。更に、ケーシング４の前面４２には、その取り外された前面部Ｕｆが通過可能な開口部４４を設けると共に、その開口部４４を開閉可能に覆う蓋５を設ける。
【００６２】
これにより、後処理ユニット３がケーシング４内に収容された状態のまま、腐食した前面部Ｕｆを容易に交換することが可能になる。
【００６３】
この交換作業の際には、先ず、ケーシング４の前面４２のボルト４５を緩めて、蓋５を取り外し、ケーシング４の開口部４４から手や工具等を差し込んで、前面部Ｕｆのボルト３９ｃを緩めて、フランジ３９ａ，３９ｂによる固定を解除し、前面部Ｕｆを連結管３５から取り外す。そして、交換用の前面部Ｕｆを取り外し手順と逆の手順で取り付ける。このように、本実施形態においては、後処理ユニット３がケーシング４に収容されたままの状態でも、交換作業を容易に行うことができる。
【００６４】
また、本実施形態においては、ケーシング４の開口部４４が前面部Ｕｆに対向する位置にあるので、交換作業をより簡単に行うことが可能になる。
【００６５】
なお、本発明は、上述の実施形態に限定されるものではなく、本発明の趣旨を逸脱しない範囲で、適宜変形して実施することが可能である。
【符号の説明】
【００６６】
１  内燃機関
２  排気管
３  後処理ユニット
４  ケーシング
５  蓋
１０ｃ  選択還元型ＮＯｘ触媒
３１  排ガス入口管
３２  排ガス出口管
３３  第１触媒ケーシング
３４  第２触媒ケーシング
３５  連結管
３６  添加弁
４４  開口部
１００  排ガス浄化装置
【図１】
0006728782.tif 000002